(57)【要約】【課題】簡単な機構で静音な動作を実現することができるクランプ装置、およびディスク装置の提供【解決手段】回転駆動手段２３とクランパ２５とにより、クランプ装置８０を構成する。回転駆動手段２３は、ターンテーブル２４とモータ２６を備える。ターンテーブル２４は略円盤状で、嵌挿部２４１と載置部２４２とを有する。嵌挿部２４１は、その先端部に磁石２７を埋設する。略円盤状のクランパ２５は、合成樹脂製の本体部２８と、磁石２７との間で磁力を発生させる金属板などの磁性体２９とを備える。本体部２８は、磁性体２９を一体に保持する。本体部２８の載置面２８６Ａを、磁石２７および磁性体２９の面方向に平行に形成する。傾斜面２８６Ｂを、磁石２７、磁性体２９および載置面２８６Ａに対して傾斜する状態に形成する。【選択図】図３
2009170042.tif 000002
【特許請求の範囲】
【請求項１】
回転駆動手段にて回転されるターンテーブルと、このターンテーブルに着脱可能で前記ターンテーブルとにて略中央に孔部を有したディスク状記録媒体を挾持するクランパとを備え、前記回転駆動手段の回転駆動により前記ディスク状記録媒体を回転させるクランプ装置であって、
前記ターンテーブルは、前記ディスク状記録媒体の孔部に挿脱可能な略柱状の嵌挿部と、この嵌挿部の軸方向の一端側外周に外方に向けて鍔状に突設され前記ディスク状記録媒体を載置する載置部と、前記嵌挿部の軸方向の他端側に設けられ前記載置部に載置された前記ディスク状記録媒体の平面に対して略平行な磁極面を有する第一磁性体と、を備え、
前記クランパは、略板状の第二磁性体と、前記嵌挿部の軸方向の他端部が挿脱可能に前記ターンテーブルに向けて開口する凹状で前記載置部に前記ディスク状記録媒体が載置されていない状態で挿入する前記嵌挿部の他端部に当接する底部を有した挿入凹部、および、この挿入凹部の開口縁に外方に向けて鍔状に突設され前記載置部とにて前記ディスク状記録媒体を挾持する挾持部を有し、前記第二磁性体を保持する本体部と、を備え、
前記第二磁性体は、前記載置部に載置された前記ディスク状記録媒体を前記挾持部にて挾持する状態で平面が前記ターンテーブルの第一磁性体の磁極面に略平行となる状態で、かつ、前記載置部に前記ディスク状記録媒体が載置されていない状態で平面が前記第一磁性体の磁極面に交差する状態で、前記本体部に保持された
ことを特徴とするクランプ装置。
【請求項２】
請求項１に記載のクランプ装置において、
前記クランパの本体部は、前記第二磁性体の平面が載置され、前記挾持部の前記ディスク状記録媒体に当接する側の平面と略平行で、かつ、前記挿入凹部の底部の平面と交差する傾斜面を備えた
ことを特徴とするクランプ装置。
【請求項３】
請求項１または請求項２に記載のクランプ装置において、
前記ターンテーブルの嵌挿部の他端面は、前記載置部の前記ディスク状記録媒体が載置する側の平面および前記第一磁性体の磁極面と略平行な先端面を有し、
前記クランパの前記挿入凹部の底部は、前記挾持部の前記ディスク状記録媒体に当接する側の平面および前記本体部に保持された前記第二磁性体の平面と交差する傾斜面を有した
ことを特徴とするクランプ装置。
【請求項４】
請求項１ないし請求項３のいずれかに記載のクランプ装置において、
前記第二磁性体は、平面が前記挾持部の前記ディスク状記録媒体に当接する側の平面と略平行に前記本体部に保持されており、
前記ターンテーブルの嵌挿部の他端面と、前記クランパの挿入凹部の底部とのうち少なくともいずれか一方に突設され、前記載置部に前記ディスク状記録媒体が載置された状態では先端は接触せず、前記載置部に前記ディスク状記録媒体が載置されて前記挾持部にて挾持する状態で先端が対向する前記クランパまたは前記ターンテーブルと当接する突起部を備えた
ことを特徴とするクランプ装置。
【請求項５】
請求項４に記載のクランプ装置において、
前記突起部は、前記挿入凹部の底部における周縁部に位置して柱状に突設された
ことを特徴とするクランプ装置。
【請求項６】
ケース体と、
このケース体内に配設された請求項１ないし請求項５のいずれかに記載のクランプ装置と、
このクランプ装置に保持された前記ディスク状記録媒体に記載された情報を読取処理および前記ディスク状記録媒体に情報を記録する記録処理のうちの少なくとも何れか一方を実施するディスク処理部と、
を具備したことを特徴とするディスク装置。
【発明の詳細な説明】
【技術分野】
【０００１】
本発明は、ディスク状の記録媒体を保持するクランプ装置、およびディスク装置に関する。
【背景技術】
【０００２】
従来、例えばＤＶＤ（Digital Versatile Disk）やＣＤ（Compact Disc）等のディスクを再生あるいは記録するディスク装置が広く利用されている。このようなディスク装置には、通常、ディスクを保持するためのクランプ装置を備えている。具体的には、図１（Ａ）に示すように、ディスク１を載置するターンテーブル２と、ディスク１のターンテーブル２とは反対側に、ターンテーブル２と対向する状態で配置されたクランパ３とを備えている。そして、ターンテーブル２とクランパ３との間にディスク１を挟持し、ターンテーブル２に併設されたモータ４の駆動力によって、ディスク１をターンテーブル２とクランパ３とともに回転させている。なお、ターンテーブル２、クランパ３およびモータ４でクランプ装置９を構成する。
ターンテーブル２とクランパ３によるディスク１の挟持は、一般的に磁性体による吸引力が利用されている。例えば、ターンテーブル２に磁石５が設けられるとともに、ターンテーブル２と対向する位置に配置されたクランパ３に金属板などの磁性体６が設けられる。これにより、磁石５と磁性体６との間に吸引力が発生し、磁石５と磁性体６との間にディスク１を挟持することができる。
【０００３】
近年のディスク装置においては、ターンテーブルの回転の高速化が進んでおり、ディスクがスリップしないように強力な吸引力（磁力）でディスクを挟持することが必要とされている。
このような背景から、図１（Ｂ）に示すように、ディスクがターンテーブル２に載置されていないときは、強力な吸引力によりターンテーブル２とクランパ３とが接触し、異音が発生してしまうといった問題があった。
一方、ディスク厚の違いによって生じる磁力のばらつきを一定に制御する方法が提案されている（例えば、特許文献１参照）。
【０００４】
この特許文献１に記載のディスク装置は、永久磁石を有するターンテーブルと、永久磁石の磁力によって吸引される吸着部材を有するディスククランパを備えている。ディスククランパを構成する支持部材には弾性体とディスク押圧部材とが設けられ、強力な磁力で吸引されたディスクを弾性体とディスク押圧部材で押圧することにより吸引力を低減させることが可能となっている。
【０００５】
【特許文献１】特開２００４−３０７１５号公報
【発明の開示】
【発明が解決しようとする課題】
【０００６】
しかしながら、特許文献１のような構成では、ディスククランパとターンテーブルとの距離を制御することはできるものの、弾性体とディスク押圧部材といった新たな部材が必要となり、部品点数が多くなってしまう。すなわち、クランプ装置が複雑になるとともに製造性が損なわれるおそれがあるという問題点が一例として挙げられる。
【０００７】
本発明は、簡単な機構で静音な動作を実現することができるクランプ装置、およびディスク装置を提供することを１つの目的とする。
【課題を解決するための手段】
【０００８】
本発明のクランプ装置は、回転駆動手段にて回転されるターンテーブルと、このターンテーブルに着脱可能で前記ターンテーブルとにて略中央に孔部を有したディスク状記録媒体を挾持するクランパとを備え、前記回転駆動手段の回転駆動により前記ディスク状記録媒体を回転させるクランプ装置であって、前記ターンテーブルは、前記ディスク状記録媒体の孔部に挿脱可能な略柱状の嵌挿部と、この嵌挿部の軸方向の一端側外周に外方に向けて鍔状に突設され前記ディスク状記録媒体を載置する載置部と、前記嵌挿部の軸方向の他端側に設けられ前記載置部に載置された前記ディスク状記録媒体の平面に対して略平行な磁極面を有する第一磁性体と、を備え、前記クランパは、略板状の第二磁性体と、前記嵌挿部の軸方向の他端部が挿脱可能に前記ターンテーブルに向けて開口する凹状で前記載置部に前記ディスク状記録媒体が載置されていない状態で挿入する前記嵌挿部の他端部に当接する底部を有した挿入凹部、および、この挿入凹部の開口縁に外方に向けて鍔状に突設され前記載置部とにて前記ディスク状記録媒体を挾持する挾持部を有し、前記第二磁性体を保持する本体部と、を備え、前記第二磁性体は、前記載置部に載置された前記ディスク状記録媒体を前記挾持部にて挾持する状態で平面が前記ターンテーブルの第一磁性体の磁極面に略平行となる状態で、かつ、前記載置部に前記ディスク状記録媒体が載置されていない状態で平面が前記第一磁性体の磁極面に交差する状態で、前記本体部に保持されたことを特徴とする。
【０００９】
本発明のディスク装置は、ケース体と、このケース体内に配設された請求項１ないし請求項５のいずれかに記載のクランプ装置と、このクランプ装置に保持された前記ディスク状記録媒体に記載された情報を読取処理および前記ディスク状記録媒体に情報を記録する記録処理のうちの少なくとも何れか一方を実施するディスク処理部と、を具備したことを特徴とする。
【発明を実施するための最良の形態】
【００１０】
以下、本発明の一実施形態を図面に基づいて説明する。
本実施形態では、ディスク状の記録媒体としての光ディスクに情報を記録および読み出す処理装置であるディスク装置としてのディスクドライブを例示して説明する。なお、例えば携帯型のディスク装置やディスクドライブを備えた例えば映像データの録画などの記録や再生のための処理をする再生装置、記録装置あるいはゲーム機など、光ディスクに限らず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【００１１】
〔ディスクドライブの構成〕
図２は、本発明の一実施形態のディスクドライブの構成を示す分解斜視図である。図３は、前記一実施形態におけるクランプ装置の概略断面図である。図４は、前記一実施形態におけるクランプ装置の状態を示す断面図であり、（Ａ）はディスクを装着した状態、（Ｂ）はディスクが未装着の状態を示す図である。図５は、磁石と磁性体との位置と磁力線との関係を示す説明図であり、（Ａ）は磁石と磁性体とが平行に配置された状態、（Ｂ）は磁石と磁性体とが非平行に配置された状態を示す図である。
【００１２】
図２において、１００はディスクドライブで、このディスクドライブ１００は、金属製のケース体１０を有している。このケース体１０は、下面および前面が２面に亘って開口する上ケース１１と、この上ケース１１の下面を閉塞する下ケース１２と、上ケース１１の前面を閉塞する化粧板１３とを有している。
さらに、化粧板１３には、窓部１３ａが開口形成されている。
【００１３】
また、ケース体１０は、合成樹脂製のシャーシ１５を備えている。
このシャーシ１５は、上ケース１１、下ケース１２および化粧板１３とにてケース体１０を構成する。そして、シャーシ１５は、上ケース１１の側板部の内面に密着する側面部１５ａと、側面部１５ａの内面側に内方に向けて突出する支持リブ１５ｃと、側面部１５ａ前面側の端部に架橋するように設けられた開閉駆動配設部１５ｄとを有し、軸方向の両端面を開口する略長方形枠状に形成されている。
【００１４】
また、シャーシ１５には、側面部１５ａに架橋する状態でねじにて固定されるクランパ支持部材１７が設けられている。クランパ支持部材１７は、後述のディスクトレイ５０を略覆って光ディスク２００が収容される収容空間１８を区画形成する。
クランパ支持部材１７には、後述の回転駆動手段２３のターンテーブル２４に対向する位置に支持孔１７１が開口形成されている。この支持孔１７１の周縁には、支持孔１７１を閉塞する状態で略円盤状のクランパ２５が回転可能に載置されている。
【００１５】
また、このシャーシ１５には、ディスク処理部としての本体部２０が配設されている。
この本体部２０は、例えば金属製の平板枠状に形成された台座部２１を有している。この台座部２１は、支持リブ１５ｃに一縁が上下方向に回動可能に他縁がねじ止めされて取り付けられている。この台座部２１の一縁には、台座部２１の他縁を中心とした回動を案内する回動案内部２２が一体的に取り付けられている。
【００１６】
さらに、台座部２１には、回動する一縁側に位置して回転駆動手段２３が配設されている。
この回転駆動手段２３は、ターンテーブル２４を有している。ターンテーブル２４は、光ディスク２００の中心に開口形成された軸孔２１０に嵌挿する。
なお、回転駆動手段２３については、後で詳述する。
【００１７】
また、台座部２１には、処理移動手段３０が配設されている。
この処理移動手段３０は、一対のシャフト３１および移動用電動モータ３２を備えている。
さらに、処理移動手段３０には、記録再生手段３５が配設されている。
この記録再生手段３５は、一対のシャフト３１に架橋する状態で保持された移動保持部３６を有している。また、移動保持部３６には、ピックアップ３７が配設されている。
【００１８】
そして、シャーシ１５には、支持リブ１５ｃの上方側で水平方向に進退可能に移動するディスクトレイ５０が配設されている。
このディスクトレイ５０は、例えば合成樹脂にて略長方形板状に形成され、光ディスク２００が載置されるトレイ部５１を有している。そして、このトレイ部５１の一縁には、化粧板１３の窓部１３ａを閉塞する長手板状の窓閉塞板部５２が着脱可能に取り付けられている。
【００１９】
また、シャーシ１５には、開閉駆動配設部１５ｄに位置してディスクトレイ５０を進退移動させる開閉駆動手段６０が配設されている。
この開閉駆動手段６０は、ギヤ、プーリ、無端ベルトなどを備えた駆動伝達部６１と、モータとしての出入用電動モータ６４と、を備えている。そして、開閉駆動手段６０は、出入用電動モータ６４の駆動により、駆動伝達部６１を介してディスクトレイ５０を化粧板１３の窓部１３ａから進退させる。
【００２０】
また、開閉駆動手段６０は、シャーシ１５の開閉駆動配設部１５ｄに側面部１５ａの対向方向に沿って移動可能に配設された移動カム６８を有している。
この移動カム６８は、出入用電動モータ６４の駆動にて駆動伝達部６１が駆動すると、シャーシ１５の幅方向に沿って移動し、回動案内部２２が係合するリンク溝部内で摺動すなわち相対的に移動して台座部２１をシャーシ１５の軸方向である上下方向に回動させる。
【００２１】
そして、上述した回転駆動手段２３、処理移動手段３０、記録再生手段３５および開閉駆動手段６０により、本体部２０が構成される。
【００２２】
また、上述した回転駆動手段２３とクランパ２５とにより、図３に示すクランプ装置８０が構成される。
回転駆動手段２３は、ターンテーブル２４とモータ２６とを備えている。
ターンテーブル２４は略円盤状に形成され、光ディスク２００の軸孔２１０に嵌挿する略柱状の嵌挿部２４１と、この嵌挿部２４１の軸方向の一端側外周に外方に向けて鍔状に突設され、光ディスク２００を載置する載置部２４２とを有している。嵌挿部２４１は、その先端に第一磁性体としての磁石２７が埋設されている。また、嵌挿部２４１のクランパ２５と対向する対向面２４１Ａの中心付近には、クランパ２５と係合する係合溝２４３が形成され、この係合溝２４３の外周に沿って、磁石２７の磁極面が露出している。
モータ２６は、ターンテーブル２４の光ディスク２００が載置される側とは反対側に併設され、ターンテーブル２４を回転させるための電圧を供給する。
【００２３】
略円盤状に形成されたクランパ２５は、合成樹脂製の本体部２８と、本体部２８に支持され、磁石２７との間で磁力を発生させる金属板などの略板状の第二磁性体としての磁性体２９とを備えている。
本体部２８は、嵌挿部２４１の軸方向の他端部が挿脱可能とされ、ターンテーブル２４に向けて開口する凹状の挿入凹部２８７と、この挿入凹部２８７の開口縁に外方に向けて鍔状に突設され、載置部２４２とにて光ディスク２００を挾持する挾持部２８３と、挾持部２８３の周縁に外方に向けて鍔状に突設されたフランジ部２８１と、を有している。また、挿入凹部２８７は、その周面を形成する側壁部２８５と底面を形成する底部２８６とを有している。
【００２４】
底部２８６は、磁性体２９を載置する載置面２８６Ａと、挿入凹部２８７の底面を形成し、かつ、載置面２８６Ａの面方向と交差する方向に傾斜した傾斜面２８６Ｂと、を有する。
ここで、磁石２７の磁極面および磁性体２９は、ディスク２００を挟持したときの吸着力が最大となるように、互いに略平行に保持される。また、磁性体２９が載置された載置面２８６Ａは、磁石２７の磁極面と略平行に形成される。
一方、傾斜面２８６Ｂは、ディスクが未装着の場合に、ターンテーブル２４の対向面２４１Ａと接触する面である。ディスクが未装着の場合、磁性体２９が磁石２７の磁極面に対して交差する方向に傾斜して保持される。具体的には、傾斜面２８６Ｂは、載置面２８６Ａに対して一端から他端に向けて傾斜する状態に形成される。このときの傾斜角度は特に限定されないが、ターンテーブル２４の対向面２４１Ａと傾斜面２８６Ｂの全面が接触したときに、挾持部２８３と載置部２４２とが接触しない程度の傾斜にすることが好ましい。例えば、載置面２８６Ａに対して傾斜面２８６Ｂを３ｄｅｇ傾斜させる。
【００２５】
また、挿入凹部２８７の中心付近には、底部２８６を貫通する略柱状の軸部２８８が一体的に形成されている。軸部２８８のうち、挿入凹部２８７の開口側に突出した係合部２８９は、対向するターンテーブル２４の係合溝２４３に挿入される。
【００２６】
磁性体２９は、略円盤状に形成され、その中心付近には軸部２８８に嵌挿される軸孔２９１が形成されている。そして、磁性体２９は軸部２８８に嵌挿され、係合爪などにより本体部２８に固定される。
【００２７】
また、シャーシ１５には、図２に示すように、回路基板７０が取り付けられている。
この回路基板７０は、シャーシ１５に設けられた図示しない基板取付爪部により係脱可能に取り付けられる。
【００２８】
〔ディスクドライブの動作〕
次に、上記第1実施形態におけるディスクドライブ１００の動作を図４に基づいて説明する。なお、ここでは、ターンテーブル２４とクランパ２５とがクランプする状態について詳細に説明し、ディスクドライブ１００の開閉に伴うディスクトレイ５０および本体部２０などの動作については、説明を省略する。
【００２９】
まず、光ディスク２００が装着される場合の動作について説明する。
ディスクトレイ５０に載置された光ディスク２００がディスクドライブ１００内に挿入されると、ターンテーブル２４の嵌挿部２４１に光ディスク２００の軸孔２１０が嵌挿するとともに、光ディスク２００の記録する側の面が載置部２４２に向いた状態で光ディスク２００が載置部２４２に載置される。そして、光ディスク２００をローディング位置に移動させるため、台座部２１が上昇し、これとともに回転駆動手段２３も上昇する。
【００３０】
これにより、回転駆動手段２３を構成するターンテーブル２４に埋設された磁石２７と、ターンテーブル２４と対向する位置に配置されたクランパ２５に設けられた磁性体２９との距離が小さくなり、強力な磁力が発生する。この強力な磁力によりターンテーブル２４がクランパ２５側に吸引され、図４（Ａ）に示すように、ターンテーブル２４の載置部２４２とクランパ２５の挾持部２８３との間に光ディスク２００を挟持する。
【００３１】
このとき、ターンテーブル２４の対向面２４１Ａと、クランパ２５の傾斜面２８６Ｂとは接触しない。したがって、磁石２７の磁極面と磁性体２９の平面とは平行な位置に保たれ、図５（Ａ）に示すように、磁石２７と磁性体２９との間に発生した磁力は面方向のどの位置においても均一な強さとなる。すなわち、磁石２７の磁界とこの磁界中に位置する磁性体２９との関係により、磁束線が磁性体２９に好適に作用して吸着力が最大となる。
【００３２】
次に、ディスク未装着時の動作について説明する。
ディスクトレイ５０にディスクを載置していない場合でも、ディスク装着時と同様の動作により、回転駆動手段２３が上昇する。そして、磁石２７と磁性体２９との間に発生した磁力によりターンテーブル２４がクランパ２５側に吸引され、傾斜面２８６Ｂと対向面２４１Ａとが接触する。図４（Ｂ）に対向面２４１Ａと傾斜面２８６Ｂとが全面にわたって接触した状態を示す。
このとき、磁石２７の磁極面と磁性体２９の平面とが平行な位置に保たれなくなると、図５（Ｂ）に示すように、磁石２７の磁界とこの磁界に位置する磁性体２９との関係により磁力線が不均一になり、磁束線の磁性体２９への作用が、図５（Ａ）に示す状態に対して弱くなって、面全体の吸着力が小さくなる。
【００３３】
〔ディスクドライブの作用効果〕
以上の第１実施形態によれば、以下の作用効果が期待できる。
【００３４】
（１）上記一実施形態では、クランパ２５の本体部２８の底部２８６の傾斜面２８６Ｂを傾斜させることにより、ディスク未装着時には、磁石２７と磁性体２９とが非平行な状態に配置される構成とした。
これにより、光ディスク２００を挾持しない状態では、磁石２７と磁性体２９との間に発生した磁力は上述したように弱くなる。
したがって、光ディスク２００を挾持しない状態では、傾斜面２８６Ｂと対向面２４１Ａとは比較的弱い力で吸引されるため、傾斜面２８６Ｂと対向面２４１Ａとが接触する瞬間に発生する異音を抑えることができる。すなわち、静音を実現したディスクドライブ１００を提供することができる。
【００３５】
（２）一方、光ディスク２００を装着した場合は、傾斜面２８６Ｂと対向面２４１Ａとが接触しないので、磁石２７と磁性体２９とが平行に保たれる。したがって、強力な磁力が発生し、光ディスク２００を強固に挟持することができる。すなわち、従来と変わらない動作を提供することができる。
すなわち、本実施形態によれば、光ディスク２００を挾持する際には従来と同様に強固に挾持できるとともに、光ディスク２００を挾持しない際にはクランパ２５がターンテーブル２４に吸着される際に発生する異音を抑制できる。
【００３６】
（３）また、クランパ２５の第２の底部２８６の一面に傾斜を設けただけの簡単な構造とした。したがって、新たな部材を追加する必要がなく、従来の本体部２８と同様の製造方法を利用でき、製造性が損なわれずに、強固な挾持および異音の抑制の双方が得られる構成が容易に得られる。
【００３７】
［実施形態の変形］
なお、本発明は、上述した実施形態に限定されるものではなく、本発明の目的を達成できる範囲で以下に示される変形をも含むものである。
【００３８】
すなわち、光ディスク２００を搬送するディスクトレイ５０を備えたドライブ構成を例示したが、例えばスロットインタイプにも適用できる。
【００３９】
そして、図６に示すように、クランパ４５の形状を上述の一実施形態とは異なるものとしてもよい。なお、クランパ４５は、上述の一実施形態とは底部４８６の形状が異なるのみである。
底部４８６は、一定の厚みを有し、挿入凹部４８７の開口側に突出する突起部４９が形成されている。突起部４９の高さは特に限定されないが、ディスク装着時にターンテーブル２４の対向面２４１Ａと接触しない程度の高さであり、かつ、ディスク未装着時に突起部４９と対向面２４１Ａとが接触してクランパ４５とターンテーブル２４とが相対的に傾いた場合に、挾持部４８３と載置部２４２とが接触しない程度の高さにすることが好ましい。
【００４０】
このような構成により、ディスク装着時には、図６（Ａ）に示すように、挾持部４８３と載置部２４２との間に光ディスク２００を挟持するとともに、底部４８６および突起部４９と、対向面２４１Ａとが接触しない。
一方、ディスク未装着時には、図６（Ｂ）に示すように、突起部４９により底部４８６と対向面２４１Ａとが、相対的に傾いた状態で接触する。したがって、磁石２７の磁極面と磁性体２９とが交差する方向に傾斜する。したがって、磁石２７と磁性体２９との間に発生した磁力は、その面方向において不均一な強さとなるため、吸着力が小さくなる。
したがって、前記一実施形態の作用効果（２）と以下の作用効果を奏することができる。
【００４１】
（４）挿入凹部４８７の底部４８６に突起部４９を設けたので、ディスクが未装着の状態では対向面２４１Ａと突起部４９とが接触する。これにより、磁石２７の磁極面と磁性体２９とが交差する方向に傾斜するため、磁石２７と磁性体２９とは比較的弱い力で吸引される。したがって、底部４８６と対向面２４１Ａとが接触する瞬間の異音を抑えることができる。すなわち、静音を実現したディスクドライブ１００を提供することができる。
【００４２】
（５）また、ディスク未装着時には略柱状の突起部４９と対向面２４１Ａの一部のみが接触する。すなわち、突起部４９を有する底部４８６と対向面２４１Ａとの接触面が小さいので、接触時の異音を抑制することができる。
なお、突起部４９は、円柱状、角柱状、裁頭形状など、いわゆるピン状に突出するいずれの形状に設計できる。
【００４３】
（６）さらに、挿入凹部４８７の底部４８６に突起部４９を設けただけの簡単な構成とした。したがって、従来の組立方法を使用できるので、手間をかけることなく、クランパ装置を製造することができる。
【００４４】
（７）そして、突起部４９は挿入凹部４８７の内側に形成されるので、クランパ装置の小型化を図ることができる。
【００４５】
また、上記変形例では、突起部をクランパの挿入凹部に設けたが、ターンテーブルの嵌挿部に設けてもよい。このような構成であれば、上記作用効果（４）〜（６）と以下の作用効果を奏することができる。
【００４６】
（８）嵌挿部に突起部を設けただけの簡単な構成とした。したがって、従来の組立方法をそのまま使用でき、手間をかけることなくクランパ装置を製造することができる。
【００４７】
また、ターンテーブルの嵌挿部に磁石２７の磁極面に対して交差する方向に傾斜した傾斜面を形成してもよい。この場合、磁石と磁性体とが平行に保たれる状態に磁石を配置しなければならない。このような構成であれば、前記一実施形態と同様の作用効果（１）〜（３）と、以下の作用効果を奏することができる。
（９）嵌挿部に傾斜を設けたので、嵌挿部に使用する材料の量を低減することができる。すなわち、コスト削減を図ることができる。
【００４８】
そして、前述の突起部は、挿入凹部と嵌挿部のどちらに形成されていてもよい。この場合、両方に形成された突起部が互いに対向する位置に形成される。なお、これらの突起部をゴム等の樹脂で形成することが好ましい。このような構成であれば、前記一実施形態と同様の作用効果（１）〜（３）と、以下の作用効果を奏することができる。
（１０）挿入凹部と嵌挿部に形成された突起部の素材をゴム等の樹脂で形成することにより、接触時の異音をさらに低減させることができる。
【００４９】
また、載置部２４２をフランジ状となる鍔状に形成したが、例えば舌片状の部材を放射状に嵌挿部２４１の外周面に突出して、これら舌片状の部材に光ディスク２００が載置される面状の載置面２８６Ａを構成するようにしてもよい。
クランパ２５の挾持部２８３も同様に、例えば複数の舌片状の部材にて光ディスク２００を挾持する構成としてもよい。
【００５０】
〔実施例〕
次に、上記一実施形態の効果を確認するための実施例を以下に示す。
【００５１】
まず、従来のクランプ装置を備えたディスク装置Ａと、図３に示すようなクランプ装置８０を備えたディスク装置Ｂを準備した。そして、各々のディスク装置について、ディスク未装着時、厚み１．２ｍｍのディスク装着時、厚み１．５ｍｍのディスク装着時を対象として、クランプ力を測定した。
具体的には、クランパのターンテーブル側とは反対側の面の中心付近に糸を結び付け、その糸の先に一般的に使用されるプッシュプルゲージを装着する。そして、このプッシュブルゲージおよび糸でクランパを上方に引き上げ、クランパとターンテーブルとが離れる瞬間のクランプ力をそれぞれ測定した。
【００５２】
測定結果を図７に示す。ここで、磁気ギャップとは、クランパとターンテーブルの間に挟持されるディスクの厚みを示している。
図７に示すように、ディスク装着時（ｔ＝１．２およびｔ＝１．５の場合）のクランプ力は従来のディスク装置Ａと変わらない。一方、ディスク未装着時は、ディスク装置Ｂのクランプ力が従来のディスク装置Ａのクランプ力よりも小さいことが確認できた。
【００５３】
［実施形態の作用効果］
ディスク未装着時に接触する傾斜面２８６Ｂとターンテーブル２４の対向面２４１Ａのうちいずれか一方に傾斜を設けることにより、ディスク未装着時に磁石２７と磁性体２９とが非平行な状態に配置される構成とした。
これにより、磁石２７と磁性体２９との間には、その距離に応じた磁力が発生するため、傾斜面２８６Ｂおよび対向面２４１Ａの全面に発生する全体的な磁力が弱くなる。
したがって、傾斜面２８６Ｂと対向面２４１Ａとは比較的弱い力で吸引されるため、傾斜面２８６Ｂと対向面２４１Ａとが接触する瞬間の異音を抑えることができる。すなわち、静音を実現したディスクドライブ１００を提供することができる。
また、クランパ２５の本体部２８の一部の厚みを変えただけの簡単な構造であり、新たな部材を追加する必要がないのでコストがかからない。
さらに、光ディスク２００を装着した場合は、傾斜面２８６Ｂと対向面２４１Ａとが接触しないので、磁石２７と磁性体２９とが平行に保たれる。したがって、強力な磁力が発生し、光ディスク２００を強固に挟持することができる。すなわち、従来と変わらない動作を提供することができる。
【図面の簡単な説明】
【００５４】
【図１】本発明の従来技術を説明する断面図であり、（Ａ）はディスクを装着した状態、（Ｂ）はディスクが未装着の状態を示す図。
【図２】本発明の一実施形態のディスクドライブの構成を示す分解斜視図。
【図３】前記一実施形態におけるクランプ装置の概略断面図。
【図４】前記一実施形態におけるクランプ装置の状態を示す断面図であり、（Ａ）はディスクを装着した状態、（Ｂ）はディスクが未装着の状態を示す図。
【図５】磁石と磁性体との位置と磁力線との関係を示す説明図であり、（Ａ）は磁石と磁性体とが平行に配置された状態、（Ｂ）は磁石と磁性体とが非平行に配置された状態を示す図。
【図６】前記他の実施形態におけるクランプ装置の状態を示す断面図であり、（Ａ）はディスクを装着した状態、（Ｂ）はディスクが未装着の状態を示す図
【図７】クランプ力と磁気ギャップとの関係を示す図。
【符号の説明】
【００５５】
２３…回転駆動手段
２４…ターンテーブル
２４１…嵌挿部
２４１Ａ…対向面
２４２…載置部
２５…クランパ
２６…モータ
２７…第一磁性体としての磁石
２８…本体部
２８１…フランジ部
２８３…挾持部
２８６…底部
２８６Ｂ…傾斜面
２８７…挿入凹部
２９…第二磁性体としての磁性体
８０…クランプ装置
１００…ディスク装置としてのディスクドライブ
【図１】
2009170042.tif 000003
【図２】
2009170042.tif 000004
【図３】
2009170042.tif 000005
【図４】
2009170042.tif 000006
【図５】
2009170042.tif 000007
【図６】
2009170042.tif 000008
【図７】
2009170042.tif 000009